(57)【要約】      （修正有）【課題】使用者のレベルや必要箇所に応じて、浮力を与えることのできる水中運動用補助具を提供する。【解決手段】浮力を有する独立気泡構造の弾性発泡体層を備えた板状体であり、水着Ｘの内面側に装着して使用されることを特徴とする水中運動用補助具１である。独立気泡構造の弾性発泡体層により、使用者に浮力を与えることができる。また、水着Ｘに縫着せずに水着Ｘと肌との間に挟む等して、水着Ｘの内面側に着脱自在に装着されているため、使用する板状体１の数を増減させて浮力を調整したり、板状体１を入れる場所を変えて浮力を付与する場所を変更したりすることができる。【選択図】図４
0003150330.tif 000002
【実用新案登録請求の範囲】
【請求項１】
浮力を有する独立気泡構造の弾性発泡体層を備えた板状体であり、水着の内面側に着脱自在に装着されて使用されることを特徴とする水中運動用補助具。
【請求項２】
複数枚の板状体を互いに隣接して又は離隔して使用することを特徴とする請求項１記載の水中運動用補助具。
【請求項３】
前記板状体の平面の面積が、１００〜２００ｃｍ２とされたことを特徴とする請求項１に記載の水中運動用補助具。
【請求項４】
前記板状体の厚みは、０．５〜１．５ｃｍとされたことを特徴とする請求項１又は２に記載の水中運動用補助具。
【請求項５】
前記板状体の水に対する比重が０．０１〜０．１であることを特徴とする請求項１〜３のいずれかに記載の水中運動用補助具。
【請求項６】
金属製シートからなる断熱層を有することを特徴とする請求項１〜４のいずれかに記載の水中運動用補助具。
【請求項７】
前記板状体が平面視で多角形状に形成されたことを特徴とする請求項１〜５のいずれかに記載の水中運動用補助具。
【考案の詳細な説明】
【技術分野】
【０００１】
本考案は、水泳、アクアビクス等の水中運動時において、浮力を付与することにより使用者の運動を補助する水中運動用補助具に関するものである。
【背景技術】
【０００２】
図７は人体を表す図、図８は水に浮かんだ状態を示す図であって、（ａ）は水中におけるバランスが取れた状態を示す図、（ｂ）は水中におけるバランスが取れていない状態を示す図である。泳ぎの上手な人は水中での身体の重心の位置がよいため、図８（ａ）に示すように胸腺から丹田にかけての線がほぼ水平となり、バランスが良い。これに対し、水泳初心者等の泳げない人は水中での重心の位置が悪いため、図８（ｂ）に示すようにお尻が沈んでバランスが悪い。また、身体に障害のある人は、不自由な部分の筋力が弱いため、その部分が沈み、身体の重心の位置がずれてバランスが崩れてしまう。また、ある程度泳げる人でも重心の位置を正すことにより、よりよいタイムを出すことが可能である。このように、水泳において水中における身体の重心の位置は重要である。
【０００３】
また、身体のリハビリ、強化、美容、健康等のために、水中を歩いたり、フィットネス運動を行うアクアビクスがある。水中では浮力が作用するため、重力による身体への負担が腰や足にかかりにくく、しかも水の抵抗と水圧を負荷として大きな運動量で運動することができる。このようなアクアビクス時には、水の抵抗に逆らうように身体を前かがみ気味にして運動するのが好ましい。しかしながら、筋力の少ない、特に高齢者等は水の抵抗に負けて身体が後方へ反ってしまい、水中でのバランスが崩れてしまう。そのため、逆に、腰に負担をかけて痛めてしまうおそれがある。
【０００４】
そこで、特許文献１には、布又は合成樹脂フィルム等からなる水着又は水泳用パンツ等の水泳用衣類に於いて、浮力を増す手段を設けて水中における体の浮力を補助することを特徴とする水泳用衣類が開示されている。
【先行技術文献】
【特許文献】
【０００５】
【特許文献１】特開平９−１９５１０８号公報
【考案の概要】
【考案が解決しようとする課題】
【０００６】
しかしながら、特許文献１記載の水泳用衣類は、浮力部材が縫着されているので、取り外すことができない。したがって、着用者のレベルによって必要な浮力は変わるが、浮力部材が水泳用衣類と一体化されているため、浮力を調整することができない。また、身体に障害のある人には、身体の不自由な部分にのみ浮力を付与すればいいのであるが、特許文献１記載の水泳用衣類では浮力部材の位置を変更することができない。
【０００７】
本考案は、上記課題を解決するためになされたもので、使用者のレベルや、必要箇所に応じて、浮力を与えることのできる水中運動用補助具の提供を目的とするものである。
【課題を解決するための手段】
【０００８】
上記目的を達成するため、本考案は、浮力を有する独立気泡構造の弾性発泡体層を備えた板状体であり、水着の内面側に着脱自在に装着されて使用されることを特徴とする水中運動用補助具である。浮力を有する弾性発泡体層により、使用者に浮力を与えることができる。また、水着に縫着せずに水着と肌との間に挟む等して、水着の内面側に着脱自在に装着されているため、使用する補助具の数を増減させて浮力を調整したり、補助具を入れる場所を変えて浮力を付与する場所を変更したりすることができる。なお、本願における「水着」とは、海水着のような水泳時に身に付けるものだけでなく、ウエットスーツ、ドライスーツ等の水中で着用される衣類全般を含む概念である。また、「水着の内面側」とは、水着の外表面と肌との間であればよく、間に他の素材を介在させてもよい。
【０００９】
水中運動用補助具の大きさとしては、板状体平面の面積を１００〜２００ｃｍ２とするのがよい。この範囲よりも大きいと、水着の内面側に対する装脱着がやりにくく、また、装着したときに互いに重なり合いやすくなり、重なり部分に厚みが出るため、運動の支障になるおそれがあるほか、外観上でこぼこが目立って好ましくない。また、上記範囲よりも小さければ、水着の内側で安定感がなく、位置がずれやすくなり好ましくない。また、浮力を得るために板状体の枚数を増やさなければならず、装脱着に手間取るほか、身体の動きに支障を来たすおそれもある。
【００１０】
また、板状体の厚みは、０．５〜１．５ｃｍ、好ましくは約１ｃｍとされる。この範囲よりも大きいと、水着の内面側に入れたときに厚みが大きく出て、水の抵抗を受け、スムーズな運動を阻害するおそれがあるほか、外観上目立ちやすくなる。また、上記範囲よりも小さければ、浮力を有する弾性発泡体層の厚みが薄くなり、身体に十分な浮力を与えることができない。
【００１１】
板状体の水に対する比重は、０．０１〜０．１であることが好ましい。０．１よりも比重が大きければ、人体に与える浮力が足りない。また、０．０１よりも比重が小さければ、効果に顕著な差異は見られない。
【００１２】
また、金属製シートからなる断熱層を有するのが好ましい。金属製シートを積層することにより、効果的な断熱性、保温性が発揮されるため、使用者のヒートロスによる疲労を軽減することができる。なお、金属製シートの素材としてはチタン合金が好ましいが、その他、金、銀、アルミニウム、鉛などを使用してもよい。
【００１３】
板状体を平面視で多角形状に形成するのが好ましい。多角形状に形成することにより、一の板状体の辺と他の板状体の辺とをつき合わせることにより、互いに重なり合わないように敷き詰めて並べることができる。
【図面の簡単な説明】
【００１４】
【図１】本実施形態の水中運動用補助具の平面図
【図２】本実施形態の水中運動用補助具の斜視図
【図３】図１のＡ−Ａ断面図
【図４】本実施形態の水中運動用補助具の使用状態を示す正面側から見た図
【図５】本実施形態の水中運動用補助具の使用状態を示す背面側から見た図
【図６】他の実施形態の水中運動用補助具の平面図
【図７】人体を表す図
【図８】水に浮かんだ状態を示す図であって、（ａ）は水中におけるバランスが取れた状態を示す図、（ｂ）は水中におけるバランスが取れていない状態を示す図
【図９】本実施形態の水中運動用補助具の他の使用状態を示す正面側から見た図
【考案を実施するための形態】
【００１５】
以下、本考案の実施形態を図面に基づいて説明する。図１及び図２に示すように、本実施形態の水中運動用補助具は、六角形状の板状体１を基本要素としている。六角形状の板状体平面の面積は１００〜２００ｃｍ２とされ、およそ手の平を広げた程度の大きさとされる。板状体の厚みは約１ｃｍとされるが、これに限定されるものではない。また、板状体の形状は六角形に限定されるものではなく、図６に示すような菱形、三角形、四角形等、平面視で多角形状に形成すればよい。多角形状に形成することにより、図４に示すように、一の板状体１の辺と他の板状体１の辺とをつき合わせて、互いに重なり合わないように敷き詰めるようにして並べることができる。
【００１６】
また、板状体１は、図３に示すように、柔軟性のある弾性発泡体層２の両面に、金属製シートからなる断熱層３と、さらにその外側に伸縮性生地４が積層されることにより構成される。各層間は適宜任意の接着剤あるいは粘着剤により固着されるが、その他の手段により固着してもよい。
【００１７】
弾性発泡体層２は、独立気泡構造を有し、高発泡で軽量であり高い浮力を有する。独立気泡は、発泡剤により発泡させて形成される。板状体１全体としての水に対する比重は、０．０１〜０．１とされる。この高い浮力により、使用者の身体を水に浮かせることができる。
【００１８】
弾性発泡体層２は、エチレンビニルアセテート（ＥＶＡ）又は塩化ビニル樹脂（ＰＶＣ）からなる第一の弾性発泡体層２ａの表裏両面に、ゴム製の第二の弾性発泡体層２ｂが積層された複合層からなる。なお、これに限定されるものではなく、第一の弾性発泡体層２ａ又は第二の弾性発泡体層２ｂのうちいずれか一方のみの単層構造であってもよい。また、第一の弾性発泡体層２ａの素材としては、ポリプロピレン（ＰＰ）、ポリエチレン（ＰＥ）等、他の素材を用いてもよいし、これらを複数種混合したものであってもよい。第一の弾性発泡体層２ａの厚みは約０．８ｍｍとされるがこれに限定されるものではない。
【００１９】
第二の弾性発泡体層２ｂの素材としては、天然ゴム又は合成ゴムのいずれでもよい。合成ゴムとしては、クロロプレンゴム（ＣＲ）、ウレタンゴム、スチレンブタジエンゴム（ＳＢＲ）、アクリロニトリルブタジエンゴム（ＮＢＲ）、アクリルニトリルゴム（ＮＲＰ）、ブタジエンゴム（ＢＲ）、イソプレンゴム（ＩＲ）などのゴム系高分子、またはこれらを複数種混合したものが挙げられるが、これらに限定されるものではない。また、第二の弾性発泡体層２ｂの厚みは約０．１ｍｍとされるがこれに限定されるものではない。
【００２０】
断熱層３は、金属製シートであり、具体的にはチタン合金製シートが用いられる。金属製シートは、厚さ約７０ミクロンの超極薄のフイルムであって、これを接着して積層することにより、効果的な断熱性、保温性が発揮されるため、使用者のヒートロスによる疲労を軽減することができる。また、断熱層３は薄いために柔軟性があり、身体の動きに追従できる。なお、金属製シートの素材としてはチタン合金に限定されるものではなく、その他、金、銀、アルミニウム、鉛などの他の金属素材を使用してもよい。
【００２１】
表裏の伸縮性生地４としては、ナイロン又はポリエステル製のジャージ布が使用されるが、その他、合成繊維若しくは天然繊維を用いた伸縮性に富む織物又は編物を用いてもよい。伸縮性生地４は、その伸縮する性質により身体の動きに追従できる。伸縮性生地４の厚みは０．２〜１．５ｍｍとされるがこれに限定されるものではない。
【００２２】
以上の構成の水中運動用補助具１の使用方法を説明する。使用者のレベル、体型、必要箇所等に応じて、板状体１の数と、板状体１を入れる場所を調整する。基本的には、身体の胴体の前面側のみに板状体１を入れればよいが、泳ぎの下手な人には身体の前面側及び背面側の両面に入れたり、胴体以外の手覆い部分及び／又は足覆い部分に入れたりすればよい。
【００２３】
例えば、全く泳げない標準体型の成人女性の場合は、図４及び図５に示すように、板状体１を胴体の前面と背面にそれぞれ７枚ずつ、水着Ｘと肌との間に挟み入れる。この際、図７に示すように、胸腺から丹田にかけての位置に重点的に配置するようにする。そして、板状体１同士が互いに重なり合わないように、辺同士をつき合わせて敷き詰める。なお、太身の人、長身の人、男性の場合は面積が広くなるため、その分だけ板状体１の数を増やせばよい。標準体型の成人男性の場合は、前面と背面にそれぞれ１０枚程度ずつ入れればよい。また、細身の人、身長の低い人、子供の場合は面積が小さくなるため、板状体１の数を減らせばよい。また、手及び／又は足までを覆うタイプの水着の場合は、図９に示すように、その手覆い部分及び／又は足覆い部分に板状体１を装着するようにしてもよい。
【００２４】
板状体１を使用することにより、水中において使用者へ浮力が働く。図８（ａ）に示すように、水中での重心の位置が良くなり、バランスを取ることができる。水にバランス良く浮くことができれば、手足は自由な状態となっているので、使用者は泳ぐことができる。この状態でしばらく水泳を続けて正しいバランス感覚を覚える。泳ぎが上手になるにつれて徐々に板状体１の数を減らしていく。そして、最終的には板状体１無しでも泳げるようになるのである。
【００２５】
このように、本考案の板状体１は、水着Ｘに縫着されていないため、使用する板状体１の数を増減できる。その時のレベルに応じたトレーニングが可能となり、水泳の上達が早い。
【００２６】
また、板状体１は、手の平を広げた程度の大きさと比較的小さい。したがって、これを水着Ｘと肌との間に、互いに重なり合わないで敷き詰めるようにして並べることができるので、外観に線が響きにくい。また、身体の曲線や動きに対応して肌面に沿わせることができる。したがって、１枚ものの大きな形状とするよりも身体との密着性が高まり、身体に満遍なく均一に浮力を与えることができる。
【００２７】
なお、高齢者等の体力の少ない人の場合、水中で息を止めるとエネルギーを消耗しやすい。しかしながら、本考案の水中運動用補助具１を使用すると、顔が濡れない程の浮力を使用者に与えることができる。そのため、常に顔を水面上に上げていられるので、高齢者等の体力の少ない人に好適に使用できる。
【００２８】
また、高齢者等の体力が少ない人にとって、長時間の水中での運動は身体が冷えるため、好ましくない。しかしながら、水中運動用補助具１は、断熱層３を有しているため、効果的な断熱性、保温性を発揮することができる。したがって、水中運動用補助具１を水着Ｘと肌との間に入れて使用することにより、使用者のヒートロスによる疲労を軽減することができる。そのため、比較的長時間、水中での運動を行うことが可能となる。
【００２９】
身体に障害がある人は、水中運動用補助具１を入れる場所を調整して使用することができる。例えば、身体の右半身が動かない場合、右半身側が沈む。そこで、右半身側にのみ水中運動用補助具１を入れるか、左半身側よりも多く右半身側に水中運動用補助具１を入れることにより、水中でのバランスを取ることができる。バランスが取れると、今までは常に沈んでいた右脚が水上に上がる。この状態で水泳を行うと右脚にキック力が付くため、その後、水中運動用補助具１を全て取り除いても良いバランスを保ちながら泳ぐことができ、タイムを伸ばすことができる。
【００３０】
交通事故等で急に身体が不自由になった人は、地上では身体の負担が大きく、リハビリは困難である。そこで、負担の少ない水中での運動が好適なのであるが、身体の不自由さから溺れる恐怖がつきまとう。そこで、水中運動用補助具１を使用することにより、その浮力によって安心感を得ることができ、積極的に水中での運動、リハビリに取り組むことができる。
【００３１】
また、泳ぎの上手な人でも、身体の重心の位置がずれている場合がある。そこで、板状体１を浮力を与えたい場所に必要数入れることにより、水中でのバランスが改善される。その良いバランス状態を感覚で覚えることにより、さらにスピードアップを図ることができる。
【００３２】
また、アクアビクス時には、水中運動用補助具１の浮力により、水の抵抗に逆らうように身体を前かがみ気味にした正しい姿勢で運動することができる。したがって、筋力の少ない高齢者等が水の抵抗に負けて後ろへ反ることにより腰に負担がかかるのを防ぐことができる。
【００３３】
このように、本考案の水中運動用補助具１は、浮力を有する弾性発泡体層２により、使用者に浮力を与えることができる。さらに、水着Ｘに縫着せずに水着Ｘと肌との間に挟む等して、水着Ｘの内面側に着脱自在に装着されているため、使用する補助具の数を増減させて浮力を調整したり、補助具を入れる場所を変えて浮力を付与する場所を変更したりすることができる。
【符号の説明】
【００３４】
１    水中運動用補助具（板状体）
２    弾性発泡体層
２ａ  第一の弾性発泡体層
２ｂ  第二の弾性発泡体層
３    断熱層
４    伸縮性生地
【図１】
0003150330.tif 000003
【図２】
0003150330.tif 000004
【図３】
0003150330.tif 000005
【図４】
0003150330.tif 000006
【図５】
0003150330.tif 000007
【図６】
0003150330.tif 000008
【図７】
0003150330.tif 000009
【図８】
0003150330.tif 000010
【図９】
0003150330.tif 000011